(57)【要約】【課題】アルケニル無水コハク酸系サイズ剤を使用する抄紙機において、該サイズ剤に由来する汚れを効果的に防止することができる抄紙機の汚れ防止方法及び汚れ防止剤を提供する。【解決手段】アルケニル無水コハク酸系サイズ剤を使用する抄紙機において、該サイズ剤に由来する汚れを防止する方法であって、該抄紙機の洗浄水に、エチレンオキシドとプロピレンオキシドの共重合体を含有させることを特徴とする抄紙機の汚れ防止方法、及び、アルケニル無水コハク酸系サイズ剤を使用する抄紙機において、該サイズ剤に由来する汚れを防止する汚れ防止剤であって、エチレンオキシドとプロピレンオキシドの共重合体を含有することを特徴とする抄紙機の汚れ防止剤。【選択図】図１
2006265759.tif 000002
【特許請求の範囲】
【請求項１】
アルケニル無水コハク酸系サイズ剤を使用する抄紙機において、該サイズ剤に由来する汚れを防止する方法であって、該抄紙機の洗浄水に、エチレンオキシドとプロピレンオキシドの共重合体を含有させることを特徴とする抄紙機の汚れ防止方法。
【請求項２】
エチレンオキシドとプロピレンオキシドの共重合体が、エチレンオキシドとプロピレンオキシドのブロック共重合体である請求項１記載の抄紙機の汚れ防止方法。
【請求項３】
エチレンオキシドとプロピレンオキシドのブロック共重合体が、プロピレンオキシド鎖の両端にエチレンオキシド鎖を有するエチレンオキシドとプロピレンオキシドのブロック共重合体である請求項２記載の抄紙機の汚れ防止方法。
【請求項４】
エチレンオキシドとプロピレンオキシドのブロック共重合体において、プロピレンオキシド鎖の平均分子量が１,０００以上であり、エチレンオキシド鎖の割合が２０重量％以上である請求項２又は請求項３記載の抄紙機の汚れ防止方法。
【請求項５】
エチレンオキシドとプロピレンオキシドのブロック共重合体において、プロピレンオキシド鎖の平均分子量が１,８００以上であり、エチレンオキシド鎖の割合が１０重量％以上である請求項２又は請求項３記載の抄紙機の汚れ防止方法。
【請求項６】
アルケニル無水コハク酸系サイズ剤を使用する抄紙機において、該サイズ剤に由来する汚れを防止する汚れ防止剤であって、エチレンオキシドとプロピレンオキシドの共重合体を含有することを特徴とする抄紙機の汚れ防止剤。
【請求項７】
エチレンオキシドとプロピレンオキシドの共重合体が、エチレンオキシドとプロピレンオキシドのブロック共重合体である請求項６記載の抄紙機の汚れ防止剤。
【請求項８】
エチレンオキシドとプロピレンオキシドのブロック共重合体が、プロピレンオキシド鎖の両端にエチレンオキシド鎖を有するエチレンオキシドとプロピレンオキシドのブロック共重合体である請求項７記載の抄紙機の汚れ防止剤。
【請求項９】
エチレンオキシドとプロピレンオキシドのブロック共重合体において、プロピレンオキシド鎖の平均分子量が１,０００以上であり、エチレンオキシド鎖の割合が２０重量％以上である請求項７又は請求項８記載の抄紙機の汚れ防止剤。
【請求項１０】
エチレンオキシドとプロピレンオキシドのブロック共重合体において、プロピレンオキシド鎖の平均分子量が１,８００以上であり、エチレンオキシド鎖の割合が１０重量％以上である請求項７又は請求項８記載の抄紙機の汚れ防止剤。
【発明の詳細な説明】
【技術分野】
【０００１】
本発明は、抄紙機の汚れ防止方法及び汚れ防止剤に関する。さらに詳しくは、本発明は、アルケニル無水コハク酸系サイズ剤を使用する抄紙機において、該サイズ剤に由来する汚れを効果的に防止することができる抄紙機の汚れ防止方法及び汚れ防止剤に関する。
【背景技術】
【０００２】
サイズ剤としてロジン系薬剤を用い、定着剤として硫酸アルミニウムを用いる紙では、ロジンがロジン酸アルミニウムとしてセルロース繊維に定着する結果として硫酸根に余剰を生じ、いわゆる酸性紙となる。酸性紙は、セルロースの加水分解が起こって劣化しやすい。このために、長期保存を要する紙としては、硫酸アルミニウムを使用することなく、あるいは、使用量を減らして抄紙する中性紙が増加している。
【０００３】
中性紙の抄紙においては、アルキルケテンダイマー系サイズ剤、アルケニル無水コハク酸系サイズ剤などの中性サイズ剤が用いられ、定着剤としては、カチオン性ポリマー、デンプンなどが用いられる。中性サイズ剤は、セルロースのヒドロキシル基と反応してサイズ効果が発現すると言われている。アルケニル無水コハク酸系サイズ剤は、アルキルケテンダイマー系サイズ剤に比べて安価であり、反応性が大きく、サイズ効果の立ち上がりが速いなどの特徴を有することから、多量に用いられている。
【０００４】
しかし、アルケニル無水コハク酸は、反応性が大きいために、水中で加水分解してアルケニルコハク酸を生成しやすい。アルケニルコハク酸は、カルシウムイオンなどと反応して、水に難溶性で、粘着性の強いアルケニルコハク酸の金属塩を形成する。アルケニルコハク酸の金属塩は、抄紙工程の機械、配管などに付着し、欠点、断紙などの紙の品質に関わる重大な問題を引き起こす。従来より、アルケニル無水コハク酸系サイズ剤に由来する汚れは、定期的に苛性ソーダなどを用いて洗浄しているが、洗浄効果は十分ではない。また、界面活性剤との併用や、スルファミン酸などの酸の使用も試みられているが、満足する効果は得られていない。このために、抄紙工程におけるアルケニル無水コハク酸系サイズ剤に由来する汚れの付着防止ないし洗浄方法の開発が試みられている。
【０００５】
例えば、中性抄紙で使用するアルケニル無水コハク酸系サイズ剤に由来する汚れを効率的に洗浄する方法として、カルシウム、マグネシウム、アルミニウムに対してキレート力を有するアミノカルボン酸類及び／又はオキシカルボン酸類を有効成分として含むアルカリ性水溶液を洗浄液として用いる製紙工程装置に付着したアルケニル無水コハク酸系サイズ剤に由来する汚れの洗浄方法が提案されている（特許文献１）。この方法によれば、装置に付着した汚れを効率的に洗浄することができるが、装置への汚れの付着を防止するまでには至っていない。
【特許文献１】特開２０００−２６５１９２号公報（第２、３頁）
【発明の開示】
【発明が解決しようとする課題】
【０００６】
本発明は、アルケニル無水コハク酸系サイズ剤を使用する抄紙機において、該サイズ剤に由来する汚れを効果的に防止することができる抄紙機の汚れ防止方法及び汚れ防止剤を提供することを目的としてなされたものである。
【課題を解決するための手段】
【０００７】
本発明者らは、上記の課題を解決すべく鋭意研究を重ねた結果、抄紙機の洗浄水に、エチレンオキシドとプロピレンオキシドの共重合体を含有させることにより、装置へのアルケニル無水コハク酸系サイズ剤に由来する汚れの付着を効果的に防止し得ることを見いだし、この知見に基づいて本発明を完成するに至った。
【０００８】
すなわち、本発明は、
（１）アルケニル無水コハク酸系サイズ剤を使用する抄紙機において、該サイズ剤に由来する汚れを防止する方法であって、該抄紙機の洗浄水に、エチレンオキシドとプロピレンオキシドの共重合体を含有させることを特徴とする抄紙機の汚れ防止方法、
（２）エチレンオキシドとプロピレンオキシドの共重合体が、エチレンオキシドとプロピレンオキシドのブロック共重合体である(１)記載の抄紙機の汚れ防止方法、
（３）エチレンオキシドとプロピレンオキシドのブロック共重合体が、プロピレンオキシド鎖の両端にエチレンオキシド鎖を有するエチレンオキシドとプロピレンオキシドのブロック共重合体である(２)記載の抄紙機の汚れ防止方法、
（４）エチレンオキシドとプロピレンオキシドのブロック共重合体において、プロピレンオキシド鎖の平均分子量が１,０００以上であり、エチレンオキシド鎖の割合が２０重量％以上である(２)又は(３)記載の抄紙機の汚れ防止方法、
（５）エチレンオキシドとプロピレンオキシドのブロック共重合体において、プロピレンオキシド鎖の平均分子量が１,８００以上であり、エチレンオキシド鎖の割合が１０重量％以上である(２)又は(３)記載の抄紙機の汚れ防止方法、
（６）アルケニル無水コハク酸系サイズ剤を使用する抄紙機において、該サイズ剤に由来する汚れを防止する汚れ防止剤であって、エチレンオキシドとプロピレンオキシドの共重合体を含有することを特徴とする抄紙機の汚れ防止剤、
（７）エチレンオキシドとプロピレンオキシドの共重合体が、エチレンオキシドとプロピレンオキシドのブロック共重合体である(６)記載の抄紙機の汚れ防止剤、
（８）エチレンオキシドとプロピレンオキシドのブロック共重合体が、プロピレンオキシド鎖の両端にエチレンオキシド鎖を有するエチレンオキシドとプロピレンオキシドのブロック共重合体である(７)記載の抄紙機の汚れ防止剤、
（９）エチレンオキシドとプロピレンオキシドのブロック共重合体において、プロピレンオキシド鎖の平均分子量が１,０００以上であり、エチレンオキシド鎖の割合が２０重量％以上である(７)又は(８)記載の抄紙機の汚れ防止剤、及び、
（１０）エチレンオキシドとプロピレンオキシドのブロック共重合体において、プロピレンオキシド鎖の平均分子量が１,８００以上であり、エチレンオキシド鎖の割合が１０重量％以上である(７)又は(８)記載の抄紙機の汚れ防止剤、
を提供するものである。
【発明の効果】
【０００９】
本発明の抄紙機の汚れ防止方法及び汚れ防止剤によれば、中性紙の抄紙装置へのアルケニル無水コハク酸系サイズ剤に由来する汚れを付着したのちに洗浄するのではなく、操業中の汚れの付着を防止することができるので、装置の洗浄頻度を少なくし、紙に発生する欠点数を減少し、中性紙の生産性及び品質を向上することができる。
【発明を実施するための最良の形態】
【００１０】
本発明の抄紙機の汚れ防止方法においては、アルケニル無水コハク酸系サイズ剤を使用する抄紙機において、該サイズ剤に由来する汚れを防止する方法であって、該抄紙機の洗浄水に、エチレンオキシドとプロピレンオキシドの共重合体を含有させる。
【００１１】
本発明の抄紙機の汚れ防止剤は、アルケニル無水コハク酸系サイズ剤を使用する抄紙機において、該サイズ剤に由来する汚れを防止する汚れ防止剤であって、エチレンオキシドとプロピレンオキシドの共重合体を含有する。
【００１２】
本発明において、エチレンオキシドとプロピレンオキシドの共重合体は、エチレンオキシドとプロピレンオキシドのブロック共重合体であることが好ましく、プロピレンオキシド鎖の両端にエチレンオキシド鎖を有するエチレンオキシドとプロピレンオキシドのブロック共重合体であることがより好ましい。
【００１３】
本発明の抄紙機の汚れ防止方法及び汚れ防止剤は、サイズ剤として反応性の中性サイズ剤であるアルケニル無水コハク酸系サイズ剤を使用する中性紙抄紙工程に適用し、水に難溶性で粘着性の強いアルケニルコハク酸のアルカリ土類金属塩などによる汚れの発生を効果的に防止することができる。
【００１４】
本発明に用いるプロピレンオキシド鎖の両端にエチレンオキシド鎖を有するエチレンオキシドとプロピレンオキシドのブロック共重合体は、ポリプロピレンオキシドの両末端のヒドロキシル基にエチレンオキシドを付加重合することにより得られる疎水性原子団が分子の中央に位置する高分子ノニオン性界面活性剤である。該ブロック共重合体は、エチレンオキシドの付加モル数とプロピレンオキシドの付加モル数の異なる液状、フレーク状、粉末状などの製品が、プルロニック（登録商標）として市販されている。
【００１５】
本発明においては、プロピレンオキシド鎖の両端にエチレンオキシド鎖を有するエチレンオキシドとプロピレンオキシドのブロック共重合体のプロピレンオキシド鎖の平均分子量が２,１００以上であることが好ましく、２,２５０以上であることがより好ましい。プロピレンオキシド鎖の平均分子量が２,１００以上であるブロック共重合体を用いることにより、アルケニルコハク酸のアルカリ土類金属塩などの粘着性の強い粒子の析出を抑制し、汚れの発生を防止することができる。
【００１６】
本発明においては、プロピレンオキシド鎖の両端にエチレンオキシド鎖を有するエチレンオキシドとプロピレンオキシドのブロック共重合体のプロピレンオキシド鎖の平均分子量が１,０００以上であり、かつエチレンオキシド鎖の割合が２０重量％以上であることが好ましい。プロピレンオキシド鎖の平均分子量が１,０００以上であり、かつエチレンオキシド鎖の割合が２０重量％以上であるブロック共重合体を用いることにより、アルケニルコハク酸のアルカリ土類金属塩などの粘着性の強い粒子の析出を抑制し、汚れの発生を防止することができる。
【００１７】
本発明においては、プロピレンオキシド鎖の両端にエチレンオキシド鎖を有するエチレンオキシドとプロピレンオキシドのブロック共重合体のプロピレンオキシド鎖の平均分子量が１,８００以上であり、かつエチレンオキシド鎖の割合が１０重量％以上であることが好ましい。プロピレンオキシド鎖の平均分子量が１,８００以上であり、かつエチレンオキシド鎖の割合が１０重量％以上であるブロック共重合体を用いることにより、アルケニルコハク酸のアルカリ土類金属塩などの粘着性の強い粒子の析出を抑制し、汚れの発生を防止することができる。
【００１８】
本発明の汚れ防止方法及び汚れ防止剤を適用する製紙工程に特に制限はなく、例えば、中性紙の抄紙におけるワイヤーパートのワイヤー、プレスパートの抄紙用フェルト、ロールフィルタードラムなどの洗浄水にエチレンオキシドとプロピレンオキシドの共重合体を添加し、あるいは、ワイヤーパートのワイヤー、プレスパートの抄紙用フェルト、ロールフィルタードラムなどにエチレンオキシドとプロピレンオキシドの共重合体の水溶液を噴霧することができる。また、セーブオールなどの白水循環系に、エチレンオキシドとプロピレンオキシドの共重合体を添加することもできる。これらの中で、プレスパートの洗浄に特に好適に適用することができる。
【００１９】
本発明において、抄紙機の洗浄水への共重合体の添加量に特に制限はないが、０.０１〜１,０００ｍｇ／Ｌであることが好ましく、０.１〜５００ｍｇ／Ｌであることがより好ましく、１〜２００ｍｇ／Ｌであることがさらに好ましい。洗浄水への共重合体の添加量が０.０１ｍｇ／Ｌ未満であると、汚れ防止効果が十分に発現しないおそれがある。洗浄水へのブロック共重合体の添加量が１,０００ｍｇ／Ｌを超えると、添加量の増大に見合う汚れ防止効果の向上が発現しないおそれがある。
【００２０】
図１は、本発明方法を抄紙用フェルトの洗浄に適用した一例の説明図である。ワイヤーパートのクーチロールを離れた固形分濃度１２〜２０重量％の湿潤シート１が、プレスパートにおいて抄紙用フェルト２に乗せられ、２本のプレスロール３に挟まれて圧搾される。抄紙用フェルトは、ポリアミド、ポリエステル、羊毛などのニードルフェルトが多く用いられる。プレスパートを離れる湿紙の水分率は通常は６０重量％程度であり、ドライヤーパートにおいて乾燥される。湿紙を離した抄紙用フェルトは、プレスロールの下方を循環しながら走行し、その間に洗浄されてふたたび湿潤シートを乗せる。
【００２１】
エチレンオキシドとプロピレンオキシドの共重合体を含有するシャワー水の抄紙用フェルトへの適用方法に特に制限はなく、例えば、全幅シャワー、高圧ニードル移動シャワー、低圧ニードル移動シャワーなどを適宜組み合わせて用いることができる。図１に示す態様においては、抄紙用フェルトはまず高圧ニードル移動シャワー４により洗浄される。高圧ニードル移動シャワーは、ノズルが抄紙用フェルトの幅方向に移動しながら、抄紙用フェルトの内側から水圧２,０００〜３,０００ｋＰａでシャワー水を噴射し、抄紙用フェルトの外側に付着した汚れを解きほぐす。抄紙用フェルトの内側から外側に通り抜けたシャワー水は、吸引ボックス５により吸引される。高圧ニードル移動シャワーは、抄紙用フェルトとの間にインターロック機構を設け、抄紙用フェルトが停止したときにはシャワー水の噴射を停止し、抄紙用フェルトの損傷を防ぐことが好ましい。
【００２２】
次いで、ファンノズルを取り付けた全幅シャワー６から、抄紙用フェルトの全幅にわたって内側から水圧２００〜５００ｋＰａでシャワー水を供給し、十分な量のシャワー水を抄紙用フェルトに含ませ、異物や目詰まり成分を押し出し、吸引ボックス７により吸引して除去する。さらに、抄紙用フェルトの外側から、低圧ニードル移動シャワー８を抄紙用フェルトの幅方向に移動しながら、水圧８００ｋＰａ程度でシャワー水を噴射し、抄紙用フェルトの表面に付着した異物を掻き落とす。最後に、抄紙用フェルトの内側に設けた全幅シャワー９と、外側に設けた全幅シャワー１０からシャワー水を供給し、吸引ボックス１１と１２によりシャワー水を吸引して、抄紙用フェルトの洗浄を終了する。
【００２３】
本発明の汚れ防止方法及び汚れ防止剤においては、エチレンオキシドとプロピレンオキシドの共重合体に加えて、他の界面活性剤、酸、アルカリ、スライムコントロール剤、消泡剤などを併用することができる。
【実施例】
【００２４】
以下に、実施例を挙げて本発明をさらに詳細に説明するが、本発明はこれらの実施例によりなんら限定されるものではない。
実施例１
アルケニル無水コハク酸系サイズ剤に水酸化ナトリウムを加えてけん化し、塩酸により中和したものを回収し、分解物とした。得られた加水分解物の５０ｍｇ／Ｌ水溶液に、エチレンオキシド２０モル−プロピレンオキシド２０モルブロック共重合体［旭電化工業(株)、アデカプルロニックＬ４４、プロピレンオキシド鎖の平均分子量１,２００、エチレンオキシド鎖の割合４０重量％］１０ｍｇ／Ｌと、塩化カルシウム２７８ｍｇ／Ｌすなわちカルシウムとして１００ｍｇ／Ｌを加えて１０分間撹拌した。次いで、レーザ回折式粒度分布測定装置［(株)島津製作所、ＳＡＬＤ−２０００Ｊ］を用いて、析出した粒子のメディアン径を測定した。メディアン径は、０.１μｍであった。
エチレンオキシド２０モル−プロピレンオキシド２０モルブロック共重合体の代わりに、第１表に示すエチレンオキシドとプロピレンオキシドのブロック共重合体を用いて同じ操作を行い、析出した粒子のメディアン径を測定した。
比較例１
エチレンオキシド２０モル−プロピレンオキシド２０モルブロック共重合体の代わりに、ポリオキシエチレンイソデシルエーテル（ＨＬＢ＝１３）を用いて実施例１と同じ操作を行い、析出した粒子のメディアン径を測定した。メディアン径は、１２１μｍであった。
エチレンオキシド２０モル−プロピレンオキシド２０モルブロック共重合体の代わりに、ポリオキシエチレンラウリルエーテル（ＨＬＢ＝１３）、ステアリルアミンエチレンオキシド１５モル付加物又はヤシアルキルアンモニウムクロリドエチレンオキシド１５モル付加物を用いて実施例１と同じ操作を行い、析出した粒子のメディアン径を測定した。
エチレンオキシド２０モル−プロピレンオキシド２０モルブロック共重合体を加えない以外は、実施例１と同じ操作を行い、析出した粒子のメディアン径を測定した。メディアン径は、１２０μｍであった。
実施例１の結果を第１表に、比較例１の結果を第２表に示す。
【００２５】
【表１】
2006265759.tif 000003
【００２６】
【表２】
2006265759.tif 000004
【００２７】
第１表及び第２表に見られるように、エチレンオキシドとプロピレンオキシドのブロック共重合体を添加した実施例１の析出粒子のメディアン径は、他のポリオキシエチレン鎖を有する界面活性剤を添加した比較例１の析出粒子のメディアン径より概して小さく、特にプロピレンオキシド鎖の平均分子量が１,０００以上かつエチレンオキシド鎖の割合が２０重量％以上、又は、プロピレンオキシド鎖の平均分子量が１,８００以上かつエチレンオキシド鎖の割合が１０重量％以上を満たすエチレンオキシドとプロピレンオキシドのブロック共重合体を添加した例では、析出粒子のメディアン径はすべて０.１μｍとなっている。
【００２８】
実施例２
製紙工場の中性紙抄紙機で、アルケニルコハク酸のカルシウム塩がプレス工程のフェルトサクションボックスのリップに付着し、操業中に１日３回の頻度でリップを交換し、洗浄していた。また、製品にアルケニルコハク酸のカルシウム塩による欠点が発生していた。
こうした状況において、エチレンオキシド２５モル−プロピレンオキシド３０モルブロック共重合体［旭電化工業(株)、アデカプルロニックＬ６４、プロピレンオキシド鎖の平均分子量１,７５０、エチレンオキシド鎖の割合４０重量％］８重量％と、ステアリルアミンのエチレンオキシド１５モル付加物８重量％を含む水溶液を、フェルトのシャワー水に１ｍ幅あたり３ｍＬ／ｍｉｎで添加した。その結果、アルケニルコハク酸のカルシウム塩の付着量が減少し、リップの交換頻度が１日１回に減少した。さらに、製品の欠点数も、エチレンオキシドとプロピレンオキシドのブロック共重合体を添加する前と比較して１０分の１に減少した。
【産業上の利用可能性】
【００２９】
本発明の抄紙機の汚れ防止方法及び汚れ防止剤によれば、中性紙の抄紙装置へのアルケニル無水コハク酸系サイズ剤に由来する汚れを付着したのちに洗浄するのではなく、操業中の汚れの付着を防止することができるので、装置の洗浄頻度を少なくし、紙に発生する欠点数を減少し、中性紙の生産性及び品質を向上することができる。
【図面の簡単な説明】
【００３０】
【図１】本発明方法を抄紙用フェルトの洗浄に適用した一例の説明図である。
【符号の説明】
【００３１】
１  湿潤シート
２  抄紙用フェルト
３  プレスロール
４  高圧ニードル移動シャワー
５  吸引ボックス
６  全幅シャワー
７  吸引ボックス
８  低圧ニードル移動シャワー
９  全幅シャワー
１０  全幅シャワー
１１  吸引ボックス
１２  吸引ボックス
【図１】
2006265759.tif 000005